(57)【要約】【課題】部品バラツキとか各種構成部材の構造や組立公差に関係なく、輝度の均一性を保持できるようにしたＣＣＦＬ照明装置およびこれを用いたバックライト装置。【解決手段】バラストコンデンサーを用いない漏洩型トランスで作動するＣＣＦＬ照明装置であって、電極間に高電圧を印加させて発光する管状のＣＣＦＬ本体の中央箇所をＧＮＤないし低圧に近い構成としたことを特徴とするＣＣＦＬ照明装置およびこれを用いたバックライト装置。【選択図】        図２
2006059590.tif 000002
【特許請求の範囲】
【請求項１】
バラストコンデンサーを用いない漏洩型トランスで作動するＣＣＦＬ点灯装置であって、電極間に高電圧を印加させて発光する管状のＣＣＦＬ本体の中央箇所をＧＮＤないし低圧に近い構成としたことを特徴とするＣＣＦＬ照明装置。
【請求項２】
請求項１のＣＣＦＬ照明装置を光源として用いることを特徴とするバックライト装置。
【発明の詳細な説明】
【技術分野】
【０００１】
本発明は、新規なＣＣＦＬ（Ｃｏｌｄ  Ｃａｔｈｏｄｅ  Ｆｌｕｏｒｅｓｃｅｎｔ  Ｌａｍｐ：冷陰極蛍光ランプの略）照明装置と、これを用いたバックライト装置に関する。
【背景技術】
【０００２】
この種のＣＣＦＬを用いたバックライトには、図４（ａ），（ｂ），（ｃ）に示す構造のものが知られている（例えば、特許文献１参照）。
【０００３】
１ａはＣＣＦＬ、２ａ，２ａはＣＣＦＬ１ａの両端に設けた点灯装置を示し、ＣＣＦＬ１を点灯させるための必要な電圧および発振機能を備える。３は、前記ＣＣＦＬ１の曲がりを防ぐために必要な個処に設けた曲がり防止用サポート、４はリフレクター、５は表面に設けられる拡散シート等、６はＣＣＦＬ１を固定する部材を示し、ＣＣＦＬ１で発光した光をリフレクター４で反射させ、拡散シート５を介して照射できるようになっている。そして、最近では表示画面が大きくなってくるため、ＣＣＦＬ１の長さも長くなり、管電圧および点灯開始電圧が高くなってきている。
【０００４】
そのため、点灯装置２ａ，２ａは、主としてバラストコンデンサーを用いない漏洩型トランスを使用して、図５（ａ），（ｂ）に示すように、直管またＵ字管のＣＣＦＬ１ａ，１ａの両端に設けた点灯装置２には１８０°位相の異なる交流の電圧を印加し、点灯を行わせている。
【特許文献１】特開２００４−１２７５３８号公報
【発明の開示】
【発明が解決しようとする課題】
【０００５】
ところで、このような従来のバックライトにあっては、部品のバラツキ構造そして組立公差などの全ての条件が同一であれば、ＣＣＦＬの中心が仮想ＧＮＤと見做すことができ、輝度は均一化される方向で点灯されるが、実際には部品バラツキや、バックライト構造上、全ての条件が整う事はない。このような場合、ＣＣＦＬの中心がＧＮＤ状態ではなくなり、電位差を持つ事となり、輝度の均一化が損なわれる。
【０００６】
本発明は叙上の点に着目して成されたもので、部品バラツキとか各種構成部材の構造や組立公差に関係なく、輝度の均一性を保持できるようにしたＣＣＦＬ照明装置およびこれを用いたバックライト装置を提供することを目的とする。
【課題を解決するための手段】
【０００７】
本発明は、以下の構成を備えることにより、上記課題を解決できるものである。
【０００８】
（１）バラストコンデンサーを用いない漏洩型トランスで作動するＣＣＦＬ点灯装置であって、電極間に高電圧を印加させて発光する管状のＣＣＦＬ本体の中央箇所をＧＮＤないし低圧に近い構成としたことを特徴とするＣＣＦＬ照明装置。
【０００９】
（２）前記（１）のＣＣＦＬ照明装置を光源として用いることを特徴とするバックライト装置。
【発明の効果】
【００１０】
本発明は、部品のバラツキとか各種構成部材の構造や組立公差に関係なく輝度の均一性を保持できるので、高品質のＣＣＦＬ照明装置およびこれを用いたバックライト装置を提供できる。
【発明を実施するための最良の形態】
【００１１】
以下に、本発明の一実施例を図面と共に説明する。
【００１２】
なお、実施例を記述する前に、本発明の理論的根拠を図１に基づいて説明する。
【００１３】
この図１は、ＣＣＦＬの電位差確認試験の簡易な試験法を（ａ）で、その結果を（ｂ），（ｃ）で示したものである。
【００１４】
図１は直管のＣＣＦＬ約２分の１の長さのＣＣＦＬ  ａ，ａの２本を接続し、印加電圧の測定を行った説明図である。両電極の点灯装置２には、位相が１８０°異なる交流電圧を印加したが、電圧差を生じさせる為、左右のＣＣＦＬ  ａ，ａの負荷条件に多少の変化を与えた。
【００１５】
なお、この試験に用いる点灯装置２は、バラストコンデンサーを用いない漏洩型のトランスを使用して印加させている。
【００１６】
その結果、左右のＣＣＦＬ  ａ，ａを接続した状態では約９０Ｖｒｍｓの電圧が確認できた。このグラフを図１（ｂ）に示す。
【００１７】
つぎに、左右のＣＣＦＬ  ａ，ａの接続する端面に近い部分にアルミ箔を巻いた場合には３０Ｖｒｍｓとなり、約１／３の電位差に改善された。その状態を図１（ｃ）に示す。
【００１８】
さらに、左右のＣＣＦＬ  ａ，ａの接続する両端をＧＮＤに接続すると当然ながら電位差は０Ｖｒｍｓとなった。
【００１９】
以上の試験の結果、ＣＣＦＬの中心がＧＮＤ状態かそれに近い低い電位差となるため、輝度は均一化することが判明した。
【実施例１】
【００２０】
図２は、本発明に係るＣＣＦＬ照明装置およびこのＣＣＦＬ照明装置をバックライト装置の光源として用いた一実施例を示し、（ａ）はＣＣＦＬを組み込んだバックライトの斜面説明図、（ｂ）は（ａ）の要部の拡大断面説明図、（ｃ）は変形されたＣＣＦＬの斜面説明図である。
【００２１】
図において、１は３本の並列されたＣＣＦＬ、２，２はＣＣＦＬ１の両端に設けた点灯装置を示し、バラストコンデンサーを用いない漏洩型トランスを使用して図２（ａ），（ｂ）に示すようにした直管またはＵ字管の前記点灯装置２，２に１８０°の位相の異なる交流の電圧を印加させて、点灯を行わせている。
【００２２】
７は各ＣＣＦＬ１の中央箇所Ｐに接触させた棒杆状の導電性スペーサを示している（図２（ａ），（ｂ）参照）。また図２（ｃ）では、この導電性スペーサ７に代えてＣＣＦＬ１の中央箇所Ｐに巻装したアルミ箔のような導電帯７ａとすることもある。
【００２３】
そして、之等の導電性スペーサ７や導電帯７ａをＧＮＤに接続する、もしくはＧＮＤが近傍にある状態とするものである。
【００２４】
なお図において、図４の従来構造と同一または均等なものは、同一符号を示し説明の詳細を省く。
【００２５】
叙上の構成に成るので、点灯装置２においてコンデンサーを用いない漏洩型トランスを使用した交流電圧を、各ＣＣＬＦ１に印加して発光させる際、各ＣＣＬＦ１の中央箇所Ｐは導電性スペーサ７とか導電帯７ａで導電加工され、ＧＮＤと接続してあるため電位差は零または零に近い状態になり、輝度差を少なくすることを可能とした。
【００２６】
したがって、バックライトとして高輝度の照明効果を奏し得る。
【００２７】
なお、ＣＣＦＬ１の中央箇所Ｐに導電加工を施す手段としては、ＣＣＦＬに板金等によって、ＧＮＤに接続又は近接する構造にすることも当然可能である。
【図面の簡単な説明】
【００２８】
【図１】本発明の理論的根拠を示すＣＣＦＬの電位差確認試験のための簡易な試験法を示すもので、（ａ）はその説明図、（ｂ），（ｃ）はそれぞれ試験結果の２例を示すグラフ
【図２】本発明の一実施例を示すＣＣＦＬ照明装置およびこれを用いたバックライト装置を示すもので、（ａ）は全体の斜面説明図、（ｂ）は要部の拡大断面説明図、（ｃ）は他の変形した構成のＣＣＦＬの斜面説明図
【図３】ＣＣＦＬの回路構成図を示し、（ａ）は直管とした場合、（ｂ）はＵ字管とした場合を示す。
【図４】ＣＣＦＬの従来例を示し、（ａ）は全体の構成を示すバックライトの斜面説明図、（ｂ）は（ａ）の側面図、（ｃ）は（ａ）の要部の一部拡大断面説明図
【図５】図４の回路構成図で、（ａ）は直管とした場合、（ｂ）はＵ字管とした場合をそれぞれ示す
【符号の説明】
【００２９】
１    ＣＣＦＬ（ＣＣＦＬ本体に対応）
２    点灯装置
１ａ  従来のＣＣＦＬ
２ａ  従来の点灯装置
３    曲がり防止用サポート
４    リフレクター
５    拡散シート
７    導電性スペーサ
７ａ  導電帯
【図１】
2006059590.tif 000003
【図２】
2006059590.tif 000004
【図３】
2006059590.tif 000005
【図４】
2006059590.tif 000006
【図５】
2006059590.tif 000007